(57)【要約】      （修正有）【課題】バストシートは乳房部位に貼り付けるのに用いられ、シートに浸し込んだもしくは塗付けた各種乳液成分が乳房の皮膚に吸収され、乳房を美白、弾性を保つ又はバストアップをさせる効果を発揮するバストシートを提供しようとするものである。  【解決手段】  シート１の周縁を円形、複数の円弧形、多角形等、所望の形状とするとともに、該シートに薄型の各種の美白、スキンファーミング或いはバストアップ効果のある美肌形成剤成分を含ませるか塗付けて成る、乳房３部分に密着して貼り付けられる形状に成形できるシートであって、シート自身に含まれているか塗付けられている美肌バスト成分を乳房の皮膚に吸収させて成ることを特徴とする。【選択図】図１
0003114656.tif 000002
【実用新案登録請求の範囲】
【請求項１】
シートの周縁を円形、複数の円弧形、多角形等、所望の形状とするとともに、該シードに薄型の各種の美白、スキンファーミング或いはバストアップ効果のある美肌形成剤成分を含ませるか塗付けて成る、乳房部分に密着して貼り付けられる形状に成形できるシートであって、シート自身に含まれているか塗付けられている美肌バスト成分を乳房の皮膚に吸収させて成ることを特徴とするバストシート。
【請求項２】
シートは分離型或いは分離型シートの中間に一本の細長いシートを繋ぎ合わせて一対型に構成されたことを特徴とする請求項1に記載するバストシート。
【請求項３】
シートの平面には孔か切り込み線かＶ字型の切欠きを有する構成とすることを特徴とする請求項1に記載するバストシート。
【考案の詳細な説明】
【技術分野】
【０００１】
本考案はバストシートに係るものである。
【背景技術】
【０００２】
従って、例えば、従来の技術における台湾特許第92218368号の「乳房パッドの構造の改良」特許公報はシリコン材料により一組の周縁が薄くなるカップを形成させ、ブラジャーのインナーに用い、又は、ブラジャーを着けない時に直接乳房に貼り付けフィットさせ、乳房を持ち上げバストアップさせることに係る。その特徴は前記カップが中間領域に複数個の適当な通気孔を設けられ、インナーに或いは直接貼り付けられる際に、通気効果が形成され、バストの表面に発疹が生じることを回避する。
【０００３】
それから、例えば、従来の技術における台湾特許第93213501号の「パッドの構造の改良（一）」特許公報は立体のアーチ形を形成するパッドがシリコン材料で、パッドの貼り付け部分に通気構造及びフィット感を設ける。
【０００４】
また、例えば、従来の技術における台湾特許第93214473号の「吸収層を有するバストパッド」公報は布層、粘着層、吸収層及び離型層により構成される。前記布層は選択された形状の布材を裁断し、粘着層は粘着剤を布層の内側に塗付けることにより構成され、その特徴は吸収層が吸収体材料を採用し、塗付けられた粘着剤の布層の内側中央に接合され、且つ、吸収層が位置される箇所は乳首に対向することにある。離型層は中間孔を有し、前記中間孔が吸収層と同じようなものであり、吸収層を露出させ、かつ離型層は通常粘着層上に覆われる。前記したバストパッドから見ると、使用する際に離型層を取外し、かつ保湿かクリームを吸収層に含ませ、乳首及びその周辺に沿って貼り付け、乳首を完全に保護させる。
【０００５】
また、例えば、従来の技術における台湾特許第93203366号の「美白ローションの医療手足膜構造」公報は人間の手足の形状により構成された布のカバーである。混合された液体を布のカバーに塗付け、人間の手足の部分に当てるのに用いられ、液体により手、足の老化、ざらつき及びひび割れを防ぎ、皮膚を深層から潤わせる効果を得られると共に、皮膚の病気にも効果がある。
【０００６】
更に例えば、従来の技術における台湾特許第93212472号の「フェースケアパックの改良構造」公報は人間のフェースの形状により設計された薄型シートであり、シートの表面に眼部、鼻部の遮断部と口部の開放部を切断する。その特徴は前記シートの両側の上、下には内側への切断線をそれぞれ設け、シートの下端には長さ、広さが適当なアーチ形片体を延出し、片体とシートの連結部の両側のそれぞれを内側へ切断するアーチ形開放部とさせ、フェースケアの時、シートをフェースに貼り付け、その両端の切断線によりシートをより貼り付けさせ、かつ、片体が内、下端に向ける折り曲げによりニックに貼り付けられ、ニックケアの効果を兼ねる。なお、前記パックはマイナスイオン粉から形成されたマイナスイオンパックであるため、パックと皮膚で生じる温度が毛細管を拡張させ、血液循環を促進させると共に、新陳代謝を速めさせ、皮膚からの排毒を盛んにさせる。
【特許文献１】台湾特許第92218368号
【特許文献２】台湾特許第93213501号
【特許文献３】台湾特許第93214473号
【特許文献４】台湾特許第93203366号
【特許文献５】台湾特許第93212472号
【考案の開示】
【考案が解決しようとする課題】
【０００７】
本考案に係るバストシートは乳房部位に貼り付けるのに用いられ、シートに浸し込んだもしくは塗付けた各種乳液成分が乳房の皮膚に吸収され、乳房を美白、弾性を保つ又はバストアップをさせるバストシートを提供しようとするものである。
【課題を解決するための手段】
【０００８】
以下に各種図面を参照しつつ、本考案に係る最良の実施例を詳細に説明する。
まず、図１乃至図５に示すように、本考案に係る第一形態の実施例を示す。
本考案の第一形態の主な構造は分離型のシート（１）、前記シート（１）の周囲形状に円形（１１）、複数の円弧形（１２）、多角形（１３）か不規則形状の柄（１４）が設置される（図２乃至図５に示すように）。
【０００９】
シート（１）は吸水性不織布材料又は非吸水性フィルムから構成される。吸水性を有するシート（１）は美白、スキンーファーミング或いはバストアップ効果を有する各種水性乳液成分を含ませることができる。例えば、膠原質（collagen）、ヒアルロン酸（Hyaluronic acid）、葉酸（folic acid）、美白クリーム、バストアップクリーム、アスコルビン酸（C L-Form Ascorbic Acid）アロエ、ローヤル-ゼリーなど。吸水性がないシート（１）の表面には美白、スキンーファーミング或いはバストアップ効果を有する各種の油性乳液成分を塗付けることができる。
【００１０】
本考案のシート（１）は乳房（３）に貼り付けるのに用いられ、かつ、シート（１）は乳房（３）全体を完全に覆うようにする。シート（１）に浸し込んだ或いは塗付けた各種乳液成分が乳房（３）の皮膚に吸収された後、更にシート（１）を取外し捨て、こうして、乳房（３）に美白、弾性を保つ又はスキンーファーミング、バストアップの効果を有させる。（図１に示すように）。
【００１１】
また、図６乃至図９に示すように、本考案に係る第二形態の実施例を示す。本考案の第二形態の主な構造は分離型シート（１）を設け、前記シート（１）の平面には少なくとも一つ以上の切り込み線（１５）を設けている。前記切り込み線（１５）の設計についてシート（１）が折り重なる部分を乳房（３）に粘着させることが可能となり、シート（１）を乳房（３）に粘着させた部位の密着性は更に良くなる。
【００１２】
更に、図１０乃至図１３に示すように、本考案に係る第三形態の実施例を示す。本考案の第三形態の主な構造は分離型シート（１）を設け、前記シート（１）の平面には少なくとも一つ以上のＶ字型の切欠き（１６）を設けている。前記切り込み線１６）の設計についてシート（１）が折り重なる部分を乳房（３）に貼り付けさせることが可能となり、シート（１）を乳房（３）に貼り付けさせた部位の密着性は更に良くなる。
【００１３】
なお、図１４乃至図１７に示すように、本考案に係る第四形態の実施例を示す。本考案の第四形態の主な構造は分離型シート（１）を設け、前記シート（１）の平面には孔（１７）を設けている。前記孔（１７）の設計についてシート（１）を乳房（３）に貼り付ける際、孔（１７）の位置を乳首が出るようにする。これはシート（１）の乳液成分が乳首につくことを避け、こうして、母乳を飲んでいる乳児に安全と健康を保障することが出来る。
【００１４】
また、図１８乃至図２１に示すように、本考案に係る第五形態の実施例を示す。本考案の第五形態の主な構造は分離型シート（１）を設け、前記シート（１）の平面には孔（１７）及び、少なくとも一つ以上の切り込み線（１５）を設けている。
【００１５】
さらに、図２２乃至図２５に示すように、本考案に係る第六形態の実施例を示す。本考案の第六形態の主な構造は分離型シート（１）を設け、前記シート（１）の平面には孔（１７）及び、少なくとも一つ以上のＶ字型の切欠き（１６）を設けている。
【００１６】
次に、図２６乃至図３０に示すように、本考案に係る第七形態の実施例を示す。
本考案の第七形態の主な構造は一体型シート（２）を設け、前記一体型シート（２）は左右の面積が大きくなっている中間に一本の細長いシートを繋ぎ合わせて構成される。前記シート（２）の周囲形状は円形（２１）、複数の円弧形（２２）、多角形（２３）か不規則形状の柄（２４）が設けられる（図２７乃至図３０に示すように）。
【００１７】
シート（２）は吸水性不織布材料、もしくは非吸水性フィルム材料により構成される。吸水特性を有するシート（２）を美白、ハリを保つ或いはバストアップ効果のある各種水性乳液成分に浸すことができる。例えば、膠原質（collagen）、ヒアルロン酸（Hyaluronic acid）、葉酸（folic acid）、美白クリーム、バストアップクリーム、アスコルビン酸（C L-Form Ascorbic Acid）、アロエ、ローヤル-ゼリーなど。吸水特性がないシート（２）の表面には美白、ハリを保つ或いはバストアップ効果を有する各種の油性乳液成分を塗付けることができる。
【００１８】
本考案の一体型シート（２）は両側の乳房（３）に貼り付け、且つ、前記シート（２）が両側の乳房（３）全体を完全に覆うようにする。シート（２）に浸し込んだもしくは塗付けた各種乳液成分が乳房（３）の皮膚に吸収された後、シート（１）をはがし廃棄する。乳房（３）をしだいに美白、弾力又はスキンーファーミング、バストアップの効果を有させる（図２６に示すように。）
【００１９】
また、図３１乃至図３４に示すように、本考案に係る第八形態の実施例を示す。本考案の第八形態の主な構造は一体型シート（２）を設け、前記シート（２）の左右両平面には少なくとも一つ以上の切り込み線（２５）を設けている。前記切り込み線（２５）の設計についてシート（２）が折り重なる部分を乳房（３）に貼り付けさせることが可能となり、シート（２）を乳房（３）に貼り付けさせた部位の密着性は更に良くなる。
【００２０】
さらに、図３５乃至図３８に示すように、本考案に係る第九形態の実施例を示す。本考案の第九形態の主な構造は一体型シート（２）を設け、前記シート（２）の左右両平面には少なくとも一つ以上のＶ字型の切欠き（２６）を設けている。前記切り込み線（２６）の設計についてシート（２）が折り重なる部分を乳房（３）に粘着させることが可能となり、シート（２）を乳房（３）に粘着させた部位の密着性は更に良くなる。
【００２１】
なお、図３９乃至図４２に示すように、本考案に係る第十形態の実施例を示す。本考案の第十形態の主な構造は一体型シート（２）を設け、前記シート（２）の左右両平面にはそれぞれ孔（２７）を設けている。前記孔（２７）の設計についてシート（２）を乳房に覆う際、孔（２７）の位置を乳首が出るようにする。これはシート（２）の乳液成分が乳首につくのを避け、母乳を飲んでいる乳児に安全と健康を保障することが出来る。  
【００２２】
また、図４３乃至図４６に示すように、本考案に係る第十一形態の実施例を示す。本考案の第十一形態の主な構造は一体型シート（２）を設け、前記シート（２）の左右両平面には孔（２７）及び、少なくとも一つ以上のV字型の切り込み線（２５）を設けている。
【００２３】
最後に、図４７乃至図５０に示すように、本考案に係る第十二形態の実施例を示す。本考案の第十二形態の主な構造は一体型シート（２）を設け、前記シート（２）の左右両平面には孔（２７）及び、少なくとも一つ以上のＶ字型の切欠き（２６）を設けている。  
【考案の効果】
【００２４】
本考案に係るベストシートは、分離型或いは一体型のシートに関し、前記シートは吸水性か非吸水性に分けられる。吸水性のシートは美白、スキンーファーミング或いはバストアップ効果を有する水性乳液成分を含ませることができ、非吸水性のシートは表面に美白、スキンーファーミング或いはバストアップ効果を有する油性乳液成分を塗付けることができるものとなる。
【実施例１】
【００２５】
本考案の全図が示すように、本考案の分離型シート（１）の周囲形状は様々な形状で良い。例えば、円形（１１）、複数の円弧形（１２）、多角形（１３）か不規則形状の柄（１４）である。またはシート（１）の平面に孔を設ける（１７）、切り込み線を設ける（１５）もしくは割れ目がＶ字型の切欠き（１６）を設けるようにしてもよい。
【００２６】
シート（１）は吸水性材料により構成される。例えば、不織布、高分子材料などである。もしくは非吸水性フィルム材料でもよい。
【００２７】
さらにシート（１）を美白、ハリを保つ、バストアップ効果のある各種水性乳液に浸すか、シート（１）の表面に美白、ハリを保つ、バストアップ効果のある油性乳液成分を塗付けてもよい。
【００２８】
使用の際は本考案の分離型シート（１）を一つずつ乳房（３）に密着するように貼り付け、シート（１）に浸し込んだもしくは塗付けた各種乳液成分が乳房（３）の皮膚に吸収された後、シート（１）をはがす。このようにして乳房（３）をしだいに美白、弾力、スキンーファーミング、バストアップ効果をさせることが出来る（図１に示すように）。
【００２９】
それから本考案の一体型シート（２）は分離型シートの中間を一本の細長いマスクで繋ぎ合わせて構成される。その両側の周囲は分離型シート（１）と同様に様々な形状で良い。例えば円形（２１）、複数の円弧形（２２）、多角形（２３）もしくは不規則形状の柄（２４）である。シート（２）の両側の平面上に孔（２７）を設ける、切り込み線（２５）を設けるもしくはＶ字型の切欠き（２６）を設けるようにしてもよい。
【００３０】
また、シート（２）は吸水性材料により構成される。例えば、不織布、高分子材料などである。もしくは非吸水性フィルム材料でもよい。
【００３１】
さらにシート（２）を美白、スキンーファーミング、バストアップ効果のある各種水性乳液に浸すか、シート（２）の表面に美白、スキンーファーミング、バストアップ効果のある油性乳液成分を塗付けてもよい。
【００３２】
使用の際は本考案の一体型シート（２）をそれぞれの乳房（３）に密着するように貼り付け、シート（２）に浸し込んだもしくは塗付けた各種乳液成分が乳房（３）の皮膚に吸収された後、シート（２）をはがす。このようにして乳房（３）をしだいに美白、弾力、スキンーファーミング、バストアップ効果をさせることが出来る（図２６に示すように）。
【図面の簡単な説明】
【００３３】
【図１】本考案に係る分離型形態の実施例を示す傾斜図
【図２】本考案に係る第一形態を示す傾斜図
【図３】本考案に係る第一形態を示す傾斜図
【図４】本考案に係る第一形態を示す傾斜図
【図５】本考案に係る第一形態を示す傾斜図
【図６】本考案に係る第二形態を示す傾斜図
【図７】本考案に係る第二形態を示す傾斜図
【図８】本考案に係る第二形態を示す傾斜図
【図９】本考案に係る第二形態を示す傾斜図
【図１０】本考案に係る第三形態を示す傾斜図
【図１１】本考案に係る第三形態を示す傾斜図
【図１２】本考案に係る第三形態を示す傾斜図
【図１３】本考案に係る第三形態を示す傾斜図
【図１４】本考案に係る第四形態を示す傾斜図
【図１５】本考案に係る第四形態を示す傾斜図
【図１６】本考案に係る第四形態を示す傾斜図
【図１７】本考案に係る第四形態を示す傾斜図
【図１８】本考案に係る第五形態を示す傾斜図
【図１９】本考案に係る第五形態を示す傾斜図
【図２０】本考案に係る第五形態を示す傾斜図
【図２１】本考案に係る第五形態を示す傾斜図
【図２２】本考案に係る第六形態を示す傾斜図
【図２３】本考案に係る第六形態を示す傾斜図
【図２４】本考案に係る第六形態を示す傾斜図
【図２５】本考案に係る第六形態を示す傾斜図
【図２６】本考案に係る一体型形態の実施例を示す傾斜図
【図２７】本考案に係る第七形態を示す傾斜図
【図２８】本考案に係る第七形態を示す傾斜図
【図２９】本考案に係る第七形態を示す傾斜図
【図３０】本考案に係る第七形態を示す傾斜図
【図３１】本考案に係る第八形態を示す傾斜図
【図３２】本考案に係る第八形態を示す傾斜図
【図３３】本考案に係る第八形態を示す傾斜図
【図３４】本考案に係る第八形態を示す傾斜図
【図３５】本考案に係る第九形態を示す傾斜図
【図３６】本考案に係る第九形態を示す傾斜図
【図３７】本考案に係る第九形態を示す傾斜図
【図３８】本考案に係る第九形態を示す傾斜図
【図３９】本考案に係る第十形態を示す傾斜図
【図４０】本考案に係る第十形態を示す傾斜図
【図４１】本考案に係る第十形態を示す傾斜図
【図４２】本考案に係る第十形態を示す傾斜図
【図４３】本考案に係る第十一形態を示す傾斜図
【図４４】本考案に係る第十一形態を示す傾斜図
【図４５】本考案に係る第十一形態を示す傾斜図
【図４６】本考案に係る第十一形態を示す傾斜図
【図４７】本考案に係る第十二形態を示す傾斜図
【図４８】本考案に係る第十二形態を示す傾斜図
【図４９】本考案に係る第十二形態を示す傾斜図
【図５０】本考案に係る第十二形態を示す傾斜図
【符号の説明】
【００３４】
１        シート
１１      円形
１２      円弧形
１３      多角形
１４      柄
１５      切り込み線
１６      切欠き
１７      孔
２１      円形
２２      円弧形
２３      多角形
２４      柄
２６      切欠き
２７      孔
３        乳房
【図１】
0003114656.tif 000003
【図２】
0003114656.tif 000004
【図３】
0003114656.tif 000005
【図４】
0003114656.tif 000006
【図５】
0003114656.tif 000007
【図６】
0003114656.tif 000008
【図７】
0003114656.tif 000009
【図８】
0003114656.tif 000010
【図９】
0003114656.tif 000011
【図１０】
0003114656.tif 000012
【図１１】
0003114656.tif 000013
【図１２】
0003114656.tif 000014
【図１３】
0003114656.tif 000015
【図１４】
0003114656.tif 000016
【図１５】
0003114656.tif 000017
【図１６】
0003114656.tif 000018
【図１７】
0003114656.tif 000019
【図１８】
0003114656.tif 000020
【図１９】
0003114656.tif 000021
【図２０】
0003114656.tif 000022
【図２１】
0003114656.tif 000023
【図２２】
0003114656.tif 000024
【図２３】
0003114656.tif 000025
【図２４】
0003114656.tif 000026
【図２５】
0003114656.tif 000027
【図２６】
0003114656.tif 000028
【図２７】
0003114656.tif 000029
【図２８】
0003114656.tif 000030
【図２９】
0003114656.tif 000031
【図３０】
0003114656.tif 000032
【図３１】
0003114656.tif 000033
【図３２】
0003114656.tif 000034
【図３３】
0003114656.tif 000035
【図３４】
0003114656.tif 000036
【図３５】
0003114656.tif 000037
【図３６】
0003114656.tif 000038
【図３７】
0003114656.tif 000039
【図３８】
0003114656.tif 000040
【図３９】
0003114656.tif 000041
【図４０】
0003114656.tif 000042
【図４１】
0003114656.tif 000043
【図４２】
0003114656.tif 000044
【図４３】
0003114656.tif 000045
【図４４】
0003114656.tif 000046
【図４５】
0003114656.tif 000047
【図４６】
0003114656.tif 000048
【図４７】
0003114656.tif 000049
【図４８】
0003114656.tif 000050
【図４９】
0003114656.tif 000051
【図５０】
0003114656.tif 000052